(57)【要約】【課題】撮像装置において、内部空間を広く確保しやすい構成とする。【解決手段】撮像装置において、第１ケースと、前記第１ケースと連結される第２ケースと、前記第１ケースと前記第２ケースとにより形成される内部空間に収容され、電子部品を搭載した基板と、レンズを保持し、前記第１ケースまたは前記第２ケースにより支持されるレンズ鏡筒と、前記第１ケースと前記第２ケースとの間に形成された防水シール保持空間に保持された防水シールと、を備え、前記第１ケースは、光軸に略垂直な第１面と、光軸に略平行な第２面と、前記第１面から光軸方向に延びる内面とを有し、前記第１面と前記第２面は前記防水シール保持空間を形成し、前記内面は前記基板の端部に対向しており、前記第２ケースは、光軸に略垂直な第３面と、光軸に略平行な第４面とを有し、前記第３面と前記第４面は前記防水シール保持空間を形成している、構成とする。【選択図】図６
2019117303.tif 000002
【特許請求の範囲】
【請求項１】
第１ケースと、
前記第１ケースと連結される第２ケースと、
前記第１ケースと前記第２ケースとにより形成される内部空間に収容され、電子部品を搭載した基板と、
レンズを保持し、前記第１ケースまたは前記第２ケースにより支持されるレンズ鏡筒と、
前記第１ケースと前記第２ケースとの間に形成された防水シール保持空間に保持された防水シールと、を備え、
前記第１ケースは、光軸に略垂直な第１面と、光軸に略平行な第２面と、前記第１面から光軸方向に延びる内面とを有し、前記第１面と前記第２面は前記防水シール保持空間を形成し、前記内面は前記基板の端部に対向しており、
前記第２ケースは、光軸に略垂直な第３面と、光軸に略平行な第４面とを有し、前記第３面と前記第４面は前記防水シール保持空間を形成している、
撮像装置。
【請求項２】
第１ケースと、
前記第１ケースと連結される第２ケースと、
前記第１ケースと前記第２ケースとにより形成される内部空間に収容され、電子部品を搭載した基板と、
レンズを保持し、前記第１ケースまたは前記第２ケースにより支持されるレンズ鏡筒と、
前記第１ケースと前記第２ケースとの間に形成された防水シール保持空間に保持された防水シールと、を備え、
前記第１ケースは、光軸に略垂直な部分を有する第１面と、前記第１面から光軸方向に延びる内面とを有し、前記第１面は前記防水シール保持空間を形成し、前記内面は前記基板の端部に対向しており、
前記第２ケースは、光軸に略垂直な部分を有する第３面を有し、前記第３面は前記防水シール保持空間を形成している、
撮像装置。
【請求項３】
前記第１ケースは前記第２ケースよりも光軸方向前方に配置され、
前記レンズ鏡筒は前記第１ケースにより支持されている、
請求項１または請求項２に記載の撮像装置。
【請求項４】
前記第１ケースは前記第２ケースよりも光軸方向後方に配置され、
前記レンズ鏡筒は前記第２ケースにより支持されている、
請求項１または請求項２に記載の撮像装置。
【請求項５】
前記基板が撮像素子を搭載している、
請求項１から請求項４のいずれか１項に記載の撮像装置。
【請求項６】
前記内部空間に収容され、撮像素子を搭載した撮像素子基板をさらに備える、
請求項１から請求項４のいずれか１項に記載の撮像装置。
【請求項７】
前記内面は、前記撮像素子基板の端部に対向している、
請求項６に記載の撮像装置。
【発明の詳細な説明】
【技術分野】
【０００１】
本発明の一態様は、撮像装置等に関する。
【背景技術】
【０００２】
従来から、レンズを保持するレンズ鏡筒と、撮像素子が搭載された基板とがケースに収容された撮像装置がある。近年、このような撮像装置が自動車にも搭載されることが増加しており、このような場合には防水性を高めるために、ケースを構成するフロントケースとリアケースとの間に防水用のシール部材が配置される構成とすることがある。例えば、特許文献１〜３には、このように防水性能を有するカメラ（撮像装置）の従来構成が開示されている。
【先行技術文献】
【特許文献】
【０００３】
【特許文献１】特開2012-183925号公報
【特許文献２】特開2011-164461号公報
【特許文献３】特開2011-046331号公報
【発明の概要】
【発明が解決しようとする課題】
【０００４】
上記のような従来の防水性能を有する撮像装置において、近年さらなる小型化が求められているが、従来の構成では小型化に限界があった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
第１ケース（３、３１、または７、７１）と、
前記第１ケースと連結される第２ケース（７、７１、または３、３１）と、
前記第１ケースと前記第２ケースとにより形成される内部空間に収容され、電子部品を搭載した基板（５１、５２）と、
レンズを保持し、前記第１ケースまたは前記第２ケースにより支持されるレンズ鏡筒（１）と、
前記第１ケースと前記第２ケースとの間に形成された防水シール保持空間に保持された防水シール（４）と、を備え、
前記第１ケースは、光軸に略垂直な第１面（３ｄ、７１ｄ）と、光軸に略平行な第２面（３ｃ、７１ｃ）と、前記第１面から光軸方向に延びる内面（３ｅ、７１ｅ）とを有し、前記第１面と前記第２面は前記防水シール保持空間を形成し、前記内面は前記基板の端部に対向しており、
前記第２ケースは、光軸に略垂直な第３面（７ｄ、３１ｄ）と、光軸に略平行な第４面（７ｅ、３１ｅ）とを有し、前記第３面と前記第４面は前記防水シール保持空間を形成している、
撮像装置である。
【０００７】
本発明の別の手段は、
第１ケース（３、３１、３２または７、７１、７２）と、
前記第１ケースと連結される第２ケース（７、７１、７２、または３、３１、３２）と、
前記第１ケースと前記第２ケースとにより形成される内部空間に収容され、電子部品を搭載した基板（５１、５２）と、
レンズを保持し、前記第１ケースまたは前記第２ケースにより支持されるレンズ鏡筒（１）と、
前記第１ケースと前記第２ケースとの間に形成された防水シール保持空間に保持された防水シール（４）と、を備え、
前記第１ケースは、光軸に略垂直な部分を有する第１面（３２ｃ、３ｄ、７１ｄ）と、前記第１面から光軸方向に延びる内面（３２ｄ、３ｅ、７１ｅ）とを有し、前記第１面は前記防水シール保持空間を形成し、前記内面は前記基板の端部に対向しており、
前記第２ケースは、光軸に略垂直な部分を有する第３面（７２ｄ、７ｄ、３１ｄ）を有し、前記第３面は前記防水シール保持空間を形成している、
撮像装置である。
【０００８】
上記いずれかの構成の撮像装置によれば、基板と対向する内面が従来構成よりもケースの外側に広がった構成となるため、ケースを従来同様の大きさとした場合であっても、基板の配置空間を比較的広く確保することができる。これにより、従来と同じ大きさの基板を用いた構成とした場合には、撮像装置を比較的小型に構成することができる。
【０００９】
上記撮像装置において、好ましくは、
前記第１ケースは前記第２ケースよりも光軸方向前方に配置され、
前記レンズ鏡筒は前記第１ケースにより支持されている。
【００１０】
上記構成の撮像装置によれば、光軸方向前方に位置するフロントケース（第１ケース）によりレンズ鏡筒が支持された構成となり、フロントケースの内側に比較的広い基板配置領域を確保した構成とすることができる。
【００１１】
上記撮像装置において、好ましくは、
前記第１ケースは前記第２ケースよりも光軸方向後方に配置され、
前記レンズ鏡筒は前記第２ケースにより支持されている。
【００１２】
上記構成の撮像装置によれば、光軸方向前方に位置するフロントケース（第２ケース）によりレンズ鏡筒が支持された構成となり、リアケース（第１ケース）の内側に比較的広い基板配置領域を確保した構成とすることができる。
【００１３】
上記撮像装置において、好ましくは、
前記基板が撮像素子を搭載している。
【００１４】
上記構成の撮像装置によれば、比較的小型な構成としつつ、撮像素子を搭載する基板を配置する空間を比較的広く確保した構成とすることができる。
【００１５】
上記撮像装置において、好ましくは、
前記内部空間に収容され、撮像素子を搭載した撮像素子基板をさらに備える。
【００１６】
上記撮像装置において、好ましくは、
前記内面は、前記撮像素子基板の端部に対向している。
【００１７】
上記構成の撮像装置によれば、複数の基板を有する撮像装置において、比較的小型な構成としつつ、これらの複数の基板を配置する空間を比較的広く確保した構成とすることができる。
【図面の簡単な説明】
【００１８】
【図１】図１は、撮像装置をフロント側から見た外観斜視図である。
【図２】図２は、撮像装置をリア側から見た外観斜視図である。
【図３】図３は、撮像装置をフロント側から見た分解斜視図である。
【図４】図４は、撮像装置をリア側から見た分解斜視図である。
【図５】図５は、撮像装置をフロント側から見た平面図である。
【図６】図６は、撮像装置の断面図である。
【図７】図７は、防水シールの近傍の拡大断面図である。
【図８】図８は、変形例における防水シールの近傍の拡大断面図である。
【図９】図９は、変形例における防水シールの近傍の拡大断面図である。
【発明を実施するための形態】
【００１９】
本発明の撮像装置は、フロントケースとリアケースとを連結させることで基板を収容する構成であって、フロントケースとリアケースとの間に防水シールを配置しており、フロントケース（またはリアケース）の内面を従来構成よりも外側に広げられるように防水シールの配置空間を形成した構成にしている点を特徴のひとつとする。本発明の具体的な構成例としての実施形態について、以下の構成にしたがって説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
３．本発明の特徴
４．補足事項
【００２０】
なお、本明細書では、撮像装置に搭載されたレンズの中心位置であって、撮像素子に入射する光の中心位置を「光軸」と称する。レンズに対して撮像素子とは反対側に位置する撮像対象を「被写体」と称する。撮像素子に対して被写体が位置する方向を「光軸方向前方」、「フロント側」または「被写体側」と称し、被写体に対して撮像素子が位置する方向を「光軸方向後方」、「リア側」または「撮像素子側」と称する。
【００２１】
＜１．実施形態＞
本発明の一実施形態について、図１〜図７を参照しながら説明する。図１及び図２は撮像装置の外観図であって、図１はフロント側、図２はリア側から見た図である。図３及び図４は撮像装置の分解斜視図であって、図３はフロント側、図４はリア側から見た図である。図５は、撮像装置をフロント側から見た平面図である。図６は、図５のＡ−Ａの位置における断面図である。
【００２２】
図示されるように、本実施形態の撮像装置は、レンズ鏡筒１、防水シール２、フロントケース３、防水シール４、第１基板５１、第２基板５２、シールド板６、及びリアケース７を含んで構成される。本実施形態の特徴部分は、防水シール４を保持する防水シール保持空間の周辺の構成である。
【００２３】
＜フロントケース３＞
フロントケース３は、リアケース７と共に撮像装置の筐体（ケース）を形成する部材であって、金属または樹脂などで形成される。フロントケース３は、光軸方向前方に、光軸を中心とする開口部を有する。フロントケース３の光軸方向後方は、リアケース７と連結可能に開放されており、光軸を覆うように略矩形状の周面を有している。フロントケース３とリアケース７とが連結されることで、レンズ鏡筒１、第１基板５１、第２基板５２、及びシールド板６などを収容する内部空間が形成される。詳細は後述するが、フロントケース３とリアケース７との連結部分には、防水シール４を保持する防水シール保持空間が形成される。図１に示されるように、フロントケース３の光軸方向前方の開口部では、レンズ鏡筒１が保持される。フロントケース３とレンズ鏡筒１との間には、防水シール２が配置される。
【００２４】
＜リアケース７＞
リアケース７は、フロントケース３と共に撮像装置の筐体（ケース）を形成する部材であって、フロントケース３同様、金属または樹脂などで形成される。リアケース７は、フロントケース３よりも光軸方向後方に配置される。上記のように、フロントケース３と連結されることで、レンズ鏡筒１、第１基板５１、第２基板５２、及びシールド板６などを収容する内部空間を形成する。リアケース７の光軸方向前方は、フロントケース３の光軸方向後方と略同形状であり、組立状態では、連結具８４によってフロントケース３と連結される。
【００２５】
リアケース７は、光軸方向後方に、第１基板５１のコネクタ５１２を外部機器と連結するためのコネクタ部７４を有する。コネクタ部７４の内側には、電線等の信号伝達手段が配置される。コネクタ部７４は、光軸方向後方に向かって筒状に突出している。
【００２６】
＜レンズ鏡筒１＞
レンズ鏡筒１は、レンズを含む１以上の光学部材を保持し、光軸方向に伸びる円筒状の部材である。レンズ鏡筒１に保持される光学部材には、１以上のレンズの他に、スペーサ、口径板、及び光学フィルタなどが含まれる。レンズは、ガラスまたはプラスチック等の透過性を有する素材で形成され、光軸方向前方からの光を屈折させながら光軸方向後方に透過させる。スペーサは、光軸方向に適度な厚みを有する板状で円環状の部材であり、各レンズの光軸方向の位置を調整する。スペーサは、光軸を含む中心部に開口部を有する。口径板は、通過する光の最外位置を決める。光学フィルタは、所定の波長の光を抑制または遮蔽する。光学フィルタは、例えば、通過する赤外線を抑制する赤外線カットフィルタなどが含まれる。これらの光学部材の数及び種類は、任意に変更可能である。
【００２７】
＜防水シール２＞
防水シール２は、ゴムなどの弾性部材により形成された円環状の部材であって、フロントケース３とレンズ鏡筒１との間に配置されることで、フロントケース３とレンズ鏡筒１とを隙間無く連結させ、水分や塵埃などが内部空間に侵入することを抑制するよう作用する。防水シール２は、フロントケース３の開口部の外縁の位置に沿った円環状となっている。
【００２８】
＜防水シール４＞
防水シール４は、ゴムなどの弾性部材により形成された矩形状の部材であって、フロントケース３とリアケース７との間に形成された防水シール保持空間に配置されることで、フロントケース３とリアケース７とを隙間無く連結させ、水分や塵埃などが内部空間に侵入することを抑制するよう作用する。本実施形態の防水シール４は、フロントケース３の光軸方向後方の矩形状の開放部分、及びリアケース７の光軸方向前方の矩形状の開放部分に沿った矩形状に形成される。ただし、防水シール４は、フロントケース３とリアケース７との形状に合うよう構成されればよい。
【００２９】
＜第１基板５１＞
第１基板５１は、撮像素子５１１が搭載されたリジッド基板である。第１基板５１には、撮像素子５１１以外の電子部品が搭載されてもよい。第１基板５１の光軸方向後方の面には、コネクタ５１２が搭載される。第１基板５１の光軸方向前方の面には撮像素子５１１が搭載されているため、撮像時に撮像素子５１１に光が照射されるよう、第１基板５１は光軸に垂直な平面に沿って配置される。撮像素子５１１には、レンズ鏡筒１に保持されたレンズ等、及び第２基板５２の開口部５２ａを通過した光が照射される。撮像素子５１１により取得された電気信号は、第１基板５１及び第２基板５２に搭載された電子部品により所定の電気処理または信号処理が施された後、コネクタ５１２からリアケース７のコネクタ部７４を介して、撮像装置の外部に画像データとして出力される。第１基板５１は、複数の連結具８２によって、フロントケース３と連結されて位置固定される。
【００３０】
＜撮像素子５１１＞
撮像素子５１１は、照射された光を電気信号に変換する光電変換素子である。撮像素子５１１は、例えばＣ−ＭＯＳセンサやＣＣＤなどであるが、これらに限定されるものではない。撮像素子５１１は、第２基板５２の開口部５２ａを通過した光を受光する。なお、撮像装置においては、撮像機能を要する撮像素子５１１以外の撮像部を採用してもよい。
【００３１】
＜第２基板５２＞
第２基板５２は、電子部品を搭載したリジッド基板である。第２基板５２は、第１基板５１と同様、光軸に垂直な平面に沿って配置される。つまり、第１基板５１と第２基板５２とは、互いに平行に配置される。第２基板５２は、第１基板５１よりも、光軸方向前方に配置されている。つまり、第２基板５２は、第１基板５１とレンズ鏡筒１との間に配置される。第２基板５２は、複数の連結具８１によって、フロントケース３と連結されて位置固定される。
【００３２】
第２基板５２は、光軸を中心とする位置に、円状の貫通孔である開口部５２ａを有する。開口部５２ａには、レンズ鏡筒１のレンズ等を通過した光が通過する。開口部５２ａは、撮像素子５１１が受光して撮像する、有効範囲の光が通過するよう縁部が形成されている。撮像素子５１１により撮像されない光は、開口部５２ａにより遮蔽される。第２基板５２のフロント側には、光の反射防止のために、黒に着色されるなどの加工が施されている。
【００３３】
なお、第２基板５２は撮像装置において必須の構成ではなく、第１基板５１のみを有する構成としてもよい。また、第２基板５２に加え、電子部品を搭載する基板をさらに有する構成としてもよい。
【００３４】
＜フレキシブル基板５３＞
第１基板５１と第２基板５２とは、フレキシブル基板５３を介して電気的に接続される。フレキシブル基板５３は、可撓性を有する基板であって、第１基板５１と第２基板５２とを電気的に接続する。
【００３５】
＜シールド板６＞
シールド板６は、導電性を有する金属などの板状の部材により形成される。シールド板６は、第１基板５１よりも光軸方向後方に配置される。つまり、シールド板６は、第１基板５１とリアケース７との間に配置される。シールド板６は、接地電位に電気的に接続されることが好ましい。例えば、シールド板６に形成された板ばね部が、第１基板５１または第２基板５２の接地電位のパターンに接触し、これによってシールド板６の全体が接地電位となるような構成としてもよい。シールド板６は、複数の連結具８３によって、リアケース７と連結されて位置固定される。なお、シールド板６は、第１基板５１とリアケース７との間ではなく、それ以外の場所に配置されてもよいが、第１基板５１などの電磁ノイズを発生しやすい箇所の周囲に配置することが好ましい。
【００３６】
＜防水シール４の配置＞
図７は、防水シール４の近傍の断面図である。図７には、防水シール４、フロントケース３の一部、及びリアケース７の一部が示されている。図７に示されるように、フロントケース３は、外面３ａ及び内面３ｅを有する。フロントケース３は、光軸に垂直な面３ｂ及び３ｄと、光軸に平行な面３ｃを有する。つまり、フロントケース３のリア側の面は、２段の段差を有している。リアケース７は、外面７ａ及び内面７ｇを有する。リアケース７は、光軸に垂直な面７ｂ、７ｄ、及び７ｆと、光軸に平行な面７ｃ及び７ｅを有する。つまり、リアケース７のフロント側の面は、３段の段差を有している。フロントケース３の面３ｂ及び３ｄは、リアケース７の面７ｂ及び７ｄとそれぞれ対向している。リアケース７の面７ｆに対向する位置には、フロントケース３は位置していない。
【００３７】
防水シール４は、フロントケース３の面３ｃ及び３ｄと、リアケース７の面７ｄ及び７ｅとによって形成された防水シール保持空間に保持される。防水シール４は、面３ｄと面７ｄとによって、光軸方向に押圧されながら保持されている。防水シール４は、面３ｃと面７ｅとによって、光軸に垂直な方向に押圧されながら保持されてもよい。
【００３８】
フロントケース３の内面３ｅは、防水シール保持空間を形成する面３ｄの内側の端部から、フロント側に向かって延びている。図６に示されるように、当該内面３ｅは、第１基板５１と第２基板５２との端部に対向している。つまり、第１基板５１の端部と、第２基板５２の端部とは、内面３ｅに面している。
【００３９】
従来の撮像装置では、リアケース７の面７ｆに対向するようにフロントケース３の部分が形成されていたが、本実施形態の構成では、当該フロントケース３の部分を有さない構成となっている。これにより、フロントケース３の構成の一部を削減することができ、フロントケース３の内部空間を従来構成よりも広く確保している。
【００４０】
＜２．変形例＞
次に、上記実施形態の変形例について説明する。本変形例では、防水シール４の近傍における形状が実施形態と異なるフロントケース３１及びリアケース７１を有する構成となっている以外は、実施形態と同様である。以下の説明では、当該相違点についてのみ説明し、実施形態と同様の構成等に関する説明を省略する。
【００４１】
図８は、防水シール４の近傍の断面図である。図８には、防水シール４、フロントケース３１の一部、及びリアケース７１の一部が示されている。図８に示されるように、フロントケース３１は、外面３１ａ及び内面３１ｇを有する。フロントケース３１は、光軸に垂直な面３１ｂ、３１ｄ、及び３１ｆと、光軸に平行な面３１ｃ及び３１ｅを有する。つまり、フロントケース３１のリア側の面は、３段の段差を有している。リアケース７１は、外面７１ａ及び内面７１ｅを有する。リアケース７１は、光軸に垂直な面７１ｂ及び７１ｄと、光軸に平行な面７１ｃを有する。つまり、リアケース７１のフロント側の面は、２段の段差を有している。フロントケース３１の面３１ｂ及び３１ｄは、リアケース７１の面７１ｂ及び７１ｄとそれぞれ対向している。フロントケース３１の面３１ｆに対向する位置には、リアケース７１は位置していない。
【００４２】
防水シール４は、フロントケース３１の面３１ｄ及び３１ｅと、リアケース７１の面７１ｃ及び７１ｄとによって形成された防水シール保持空間に保持される。防水シール４は、面３１ｄと面７１ｄとによって、光軸方向に押圧されながら保持されている。防水シール４は、面３１ｅと面７１ｃとによって、光軸に垂直な方向に押圧されながら保持されてもよい。
【００４３】
リアケース７１の内面７１ｅは、防水シール保持空間を形成する面７１ｄの内側の端部から、リア側に向かって延びている。本変形例の構成では、防水シール保持空間が第１基板５１及び第２基板５２よりもフロント側に位置しており、リアケース７１の内面７１ｅは、第１基板５１と第２基板５２との端部に対向している。つまり、第１基板５１の端部と、第２基板５２の端部とは、内面７１ｅに面している。
【００４４】
本変形例の構成では、実施形態のようにフロントケース３の内部空間を広く確保する構成に代えて、リアケース７１の内部空間を広く確保し、リアケース７１によって第１基板５１及び第２基板５２が収容されるような構成にしている。これにより、実施形態同様に、第１基板５１及び第２基板５２の収容空間を広く確保している。
【００４５】
次に、上記実施形態の別の変形例について説明する。本変形例では、防水シール４の近傍における形状が実施形態と異なるフロントケース３２及びリアケース７２を有する構成となっている以外は、実施形態と同様である。以下の説明では、当該相違点についてのみ説明し、実施形態と同様の構成等に関する説明を省略する。
【００４６】
図９は、防水シール４の近傍の断面図である。図９には、防水シール４、フロントケース３２の一部、及びリアケース７２の一部が示されている。図９に示されるように、フロントケース３２は、外面３２ａ及び内面３２ｄを有する。フロントケース３２は、光軸に垂直な面３２ｂと、湾曲面３２ｃを有する。湾曲面３２ｃは、光軸に対して垂直な部分と水平な部分とを有しながら湾曲する形状となっている。リアケース７２は、外面７２ａ及び内面７２ｆを有する。リアケース７２は、光軸に垂直な面７２ｂと、光軸に平行な面７２ｃと、湾曲面７２ｄとを有する。湾曲面７２ｄは、光軸に対して垂直な部分と水平な部分とを有しながら湾曲する形状となっている。フロントケース３２の面３２ｂは、リアケース７２の面７２ｂと対向している。リアケース７２の面７２ｅに対向する位置には、フロントケース３２は位置していない。
【００４７】
つまり、実施形態と比較すると、フロントケース３の面３ｃ及び３ｄが湾曲面３２ｃに置き換えられ、リアケース７の面７ｄ及び７ｅが、湾曲面７２ｄに置き換えられた構成となっている。
【００４８】
防水シール４は、フロントケース３２の湾曲面３２ｃと、リアケース７２の湾曲面７２ｄとによって形成された防水シール保持空間に保持される。防水シール４は、湾曲面３２ｃと湾曲面７２ｄとによって押圧されながら保持されている。
【００４９】
本変形例の構成では、防水シール保持空間を湾曲面３２ｃ及び湾曲面７２ｄとで形成する構成としているが、実施形態と同様に、フロントケース３の内部空間を広く確保することができる構成となっている。
【００５０】
＜３．本発明の特徴＞
上記実施形態及び変形例で示した具体的構成を含む本発明は、以下のような特徴を有する。
【００５１】
本発明の撮像装置は、フロントケース３またはリアケース７１（第１ケース）が、光軸に垂直な面（３ｄまたは７１ｄ）と、光軸に平行な面（３ｃまたは７１ｃ）と、内面（３ｅまたは７１ｅ）と、を有している。リアケース７またはフロントケース３１（第２ケース）は、光軸に垂直な面（７ｄまたは３１ｄ）と、光軸に平行な面（７ｅまたは３１ｅ）と、を有している。防水シール４は、これらの面によって形成された防水シール保持空間により保持される。フロントケース３またはリアケース７１の内面（３ｅまたは７１ｅ）は、光軸に垂直な面（３ｄまたは７１ｄ）から光軸方向に延び、当該内面に第１基板５１及び第２基板５２の端部が対向している。
【００５２】
このような構成とすることで、基板（第１基板５１及び第２基板５２）と対向する内面が従来構成よりもケース（フロントケース３またはリアケース７１）の外側に広がった構成となるため、ケースを従来同様の大きさとした場合であっても、基板の配置空間を比較的広く確保することができる。これにより、従来と同じ大きさの基板を用いた構成とした場合には、撮像装置を比較的小型に構成することができる。
【００５３】
また、本発明の変形例では、光軸に垂直な部分を有する湾曲面３２ｃを有するフロントケース３２（またはリアケース）と、光軸に垂直な部分を有する湾曲面７２ｄを有するリアケース７２（またはフロントケース）とを備えた構成として、これらの湾曲面３２ｃ及び７２ｄにより、防水シール保持空間を形成している。このような構成としても、上記同様に、基板の配置空間を比較的広く確保可能な構成とすることができる。
【００５４】
また、本発明の撮像装置では、フロントケース３の内側に比較的広い基板配置領域を確保した構成とすることができる。また、変形例の撮像装置では、リアケース７１の内側に比較的広い基板配置領域を確保した構成とすることができる。
【００５５】
また、本発明の撮像装置では、撮像素子５１１を搭載した第１基板５１のみを有する構成としてもよいし、第１基板５１に加え、第２基板５２を含む１以上の基板を有する構成としてもよい。この場合であっても、少なくとも一の基板の端部が、フロントケースまたはリアケースの内面に対向するよう配置される構成では、当該基板の配置空間を比較的広く確保可能な構成とすることができる。これにより、比較的小型な撮像装置を構成することができる。
【００５６】
＜４．補足事項＞
以上、本発明の実施形態、及び本発明の構成における特徴についての説明を行った。上記説明では、あくまで本発明の一例の説明であって、本発明の範囲は上記内容に留まらず、各実施形態の記載の内容に基づいて当業者が把握可能な範囲にまで広く解釈されるものである。
【００５７】
例えば、実施形態では、光軸に垂直な面及び平行な面として、フロントケース及びリアケースの面を説明したが、これらの面は光軸に対して厳密に垂直または平行である必要はなく、角度を有していてもよい。光軸に垂直な面に対して４５°未満の角度を有する状態を光軸に対して略垂直といい、光軸に平行な面に対して４５°未満の角度を有する状態を光軸に対して略水平ということがある。
【００５８】
また、実施形態の構成では、第１基板５１及び第２基板５２の２枚のリジッド基板を有する構成について説明したが、さらに追加のリジッド基板を有する構成を採用してもよい。また、第２基板５２は、光軸に対して垂直な面に沿って配置されなくてもよく、任意の配置方法で配置されてもよい。また、第２基板５２は、第１基板５１の光軸方向後方に配置されてもよい。また、第１基板５１及び第２基板５２は、リジッド基板ではなく、可撓性を有するフレキシブル基板で形成されてもよい。
【産業上の利用可能性】
【００５９】
本発明は、車載用の撮像装置などとして好適に利用される。
【符号の説明】
【００６０】
１…レンズ鏡筒
２…防水シール
３、３１、３２…フロントケース
４…防水シール
５１…第１基板
５１１…撮像素子
５１２…コネクタ
５２…第２基板
５２ａ…開口部
５３…フレキシブル基板
６…シールド板
７、７１、７２…リアケース
７４…コネクタ部
８１〜８４…連結具
【図１】
2019117303.tif 000003
【図２】
2019117303.tif 000004
【図３】
2019117303.tif 000005
【図４】
2019117303.tif 000006
【図５】
2019117303.tif 000007
【図６】
2019117303.tif 000008
【図７】
2019117303.tif 000009
【図８】
2019117303.tif 000010
【図９】
2019117303.tif 000011